(57)【要約】 【課題】  野縁受けＢと野縁Ｃを連結して構築される金属製天井下地に使用する薄金属板のプレス加工で形成したクリップ金具において、簡単な構造で、且つ装着作業を煩瑣とさせずに、野縁受けに対する装着力を高める。【解決手段】  所定の大きさの竪板部１と、前記竪板部１の上部から庇状に設けた上部横板部２と、上部横板部２から突出した上方折曲係止片部３ａ，３ｂと、竪板部１の下方両側に設けた掛け爪部５ａ，５ｂとを備えると共に、竪板部１の一部を切り起こして形成した下方折曲係止片部４を設けて、野縁受けＢの上下面部Ｂ１ａ，Ｂ１ｂを上下から折曲係止片部３ａ，３ｂ，４を折曲して、金具と野縁受けＢを一体化して装着する。【選択図】図５
2014218777.tif 000002
【特許請求の範囲】
【請求項１】
薄金属板のプレス加工で形成した金具であって、所定の大きさの竪板部と、前記竪板部の上部から庇状に設けた上部横板部と、上部横板部から突出した上方折曲係止片部と、竪板部の下方両側に設けた掛け爪部とを備えると共に、竪板部の一部を切り起こして形成した下方折曲係止片部を設けてなることを特徴とする金属製天井下地材用のクリップ金具。
【請求項２】
薄金属板の両側部分を折り返して圧着し、二枚構造の掛け爪部を設けてなる金属製天井下地材用のクリップ金具。
【発明の詳細な説明】
【技術分野】
【０００１】
本発明は、天井板を装着する野縁及び野縁受けを連結するために使用される金属製天井下地材用のクリップ金具に関するものである。
【背景技術】
【０００２】
天井下地は、梁から吊り下げられた野縁受けＢに、天井板を装着する野縁Ｃを、野縁受けＢと直交して格子状に組み合わせて形成するものである。金属製の天井下地は、薄金属板を折曲して形成した長尺材を使用してなるもので、野縁受けＢは、側方開口のコの字状長尺材であり、金属製の野縁Ｂは、上部開口コの字状長尺材で、上部開口両側にリップＣ１ａ、Ｃ１ｂを備えている。天井下地は、両者の交差部分をクリップ金具で連結して構築されるものである。
【０００３】
このクリップ金具の基本構成は、特許文献１（特開２００７−２４７２１７号公報の図９）に示されているとおり、野縁Ｃの幅に対応すると共に、野縁受けＢの高さより少し長くした竪板部と、前記竪板部の上部から庇状に設けた上部横板部と、上部横板部から突出した折曲係止片部と、竪板部の下方両側に設けた掛け爪部とを備えたもので、掛け爪部を野縁Ｃの下方に位置する野縁ＣのリップＣ１ａ、Ｃ１ｂに掛け止めし、上部横板部を野縁受けＢの上面部Ｂ１ａに載置すると共に、前記上面部Ｂ１ａの端縁を巻き込むように折曲係止片部を折曲し、金具を装着しているものである。
【０００４】
また特許文献２（特開２００４−１３１９２８号公報の図１と図８）及び特許文献３（特開２００７−２９７８５７号公報）に示されているように、単一部材又は二部材の組み合わせで、竪板部が野縁受けＢの前後に設けられ、掛け爪部も左右のみではなく、前後にも設けてなるクリップ金具も提案されている。
【先行技術文献】
【特許文献】
【０００５】
【特許文献１】特開２００７−２４７２１７号公報の図７。
【特許文献２】特開２００４−１３１９２８号公報の図１及び図８。
【特許文献３】特開２００７−２９７８５７号公報。
【発明の概要】
【発明が解決しようとする課題】
【０００６】
特許文献１に開示されている基本構成のクリップ金具においては、地震等において野縁受けＢと野縁Ｃとの間に、クリップ金具を捻じる方向や煽る方向に外力を受けると、クリップ金具は野縁受けＢに上部の折曲係止片部で係止しているに過ぎないので、野縁受けＢと野縁Ｃとの連結が外れ、天井下地材の脱落や破損が生じ、天井が崩落するなどの危険がある。
【０００７】
これに対して特許文献２，３に開示されているクリップ金具は、野縁受けＢの前後に竪板部を設け、掛け爪部を左右のみではなく、前後にも設けているので、装着された金具は野縁受けＢと一体となっているので、耐震性には優れている。しかしその反面金具の装着にボルト締めが必要だったり、装着作業時の位置合わせが煩雑であって、その施工性に問題があると共に、金具の製造自体も煩雑である。また特許文献３の金具は全体をバネ材で形成する必要があり、製造上及びコスト上の課題がある。
【０００８】
そこで本発明は、基本的な構成の金具と同様の施工性及び製造容易性を備えると共に、野縁受けＢと野縁Ｃとの連結が外れることを防止した新規なクリップ金具を提案したものである。
【課題を解決するための手段】
【０００９】
本発明（請求項１）に係る金属製天井下地材用のクリップ金具は、薄金属板のプレス加工で形成した金具であって、所定の大きさの竪板部と、前記竪板部の上部から庇状に設けた上部横板部と、上部横板部から突出した上方折曲係止片部と、竪板部の下方両側に設けた掛け爪部とを備えると共に、竪板部の一部を切り起こして形成した下方折曲係止片部を設けてなることを特徴とするものである。
【００１０】
而して前記金具は、野縁のリップを掛け爪部で掛け止めし、上方折曲係止片部及び下方折曲係止片部を、それぞれ野縁受けの上下面部の端縁を巻き込むように折曲して装着する。従って金具は、野縁受けの上下両方に係止することになり、地震等における外力に対しての耐久力が増加し、金具による連結が解除されることがない。
【００１１】
また本発明（請求項２）に係る金具は、その製造に際して、薄金属板の両側部分を折り返して圧着し、二枚構造の掛け爪部を設けてなるもので、掛け爪部が補強されて掛け爪部の変形耐力が増加したものである。
【発明の効果】
【００１２】
本発明の構成は上記のとおりで、竪板部に切り起こして形成した下方折曲係止片部を設けるという簡単な構造で、野縁受けに対する装着力が高められ、地震などの際に金具が外力を強く受けたとしても、天井崩落等の事故が防止されるものである。
【図面の簡単な説明】
【００１３】
【図１】本発明金具の実施形態の全体斜視図。
【図２】同正面図。
【図３】同装着状態の側面図。
【図４】同正面図
【図５】同斜視図。
【図６】本発明金具の別例の斜視図。
【発明を実施するための形態】
【００１４】
次に本発明の実施形態について説明する。図１乃至図５に示したクリップ金具は、薄金属板を所定の形状に打ち抜きプレス加工で形成した金具であって、竪板部１、上部横板部２、上方折曲係止片部３ａ，３ｂ、下方折曲係止片部４、及び掛け爪部５ａ，５ｂを備えているものである。
【００１５】
特に、所定形状に打ち抜く前に部材の左右辺を折り返して圧着し、所定の折り返し面部７ａ，７ｂを形成しておく。
【００１６】
竪板部１は、野縁Ｃの幅に対応すると共に、野縁受けＢの高さより少し長くしたものである。上部横板部２は、竪板部１の上方箇所で前方へ庇状に屈曲したものであり、上方折曲係止片部３ａ，３ｂは、前記上部横板部２の両側方から前方に突出して形成したもので、折り返し面部７ａ，７ｂの幅と一致させてなる。
【００１７】
下方折曲係止片部４は、上部横板部２を野縁受けＢの上面部Ｂ１ａに載置した際に、下面部Ｂ１ｂの下方に位置するように、竪板部１に切り抜き孔６を形成し、前方に切り起こしで屈曲して設けたものである。
【００１８】
掛け爪部５ａ，５ｂは、折り返し面部７ａ，７ｂに設けると共に、竪板部１の下縁を前方に屈曲して強度を高めた個所の側辺に設けたもので、野縁ＢのリップＣ１ａ，Ｃ１ｂに下方から差し入れて掛け止め可能な形状に形成したものである。
【００１９】
而して前記金具は、野縁受けＢと野縁Ｃが交差する位置で、野縁ＢのリップＣ１ａ，Ｃ１ｂに掛け爪部５ａ，５ｂを掛け止めし、上部横板部２を野縁受けＢの上面部Ｂ１ａに載置し、野縁受けＢの上下面部Ｂ１ａ，Ｂ１ｂを、上下折曲係止片部３ａ，３ｂ，４を上下で挟む。
【００２０】
次に上下折曲係止片部３ａ，３ｂ，４を、それぞれ野縁受けＢの上下面部Ｂ１ａ，Ｂ１ｂの端縁を巻き込むように折曲して金具を装着し、野縁受けＢと野縁Ｃを連結するものである。
【００２１】
特に本発明に係るクリップ金具は、野縁受けＢに対して一体的に装着され、その確実な装着によって、地震等における外力に対しての耐久力が増加し、野縁受けＢと野縁の連結が解除されず、天井崩落を防止するものである。
【００２２】
また本発明は、前記実施形態（実施例）に限定されるものではなく、図６に示したとおり、折り返し部を省略し、且つ上方折曲係止部３ａ，３ｂ，３ｃを３か所に設ける別例を採用しても良い。
【符号の説明】
【００２３】
１      竪板部
２      上部横板部
３ａ，３ｂ，３ｃ    上方折曲係止片部
４      下方折曲係止片部
５ａ，５ｂ    掛け爪部
６      切り抜き孔
７ａ，７ｂ    折り返し面部
【図１】
2014218777.tif 000003
【図２】
2014218777.tif 000004
【図３】
2014218777.tif 000005
【図４】
2014218777.tif 000006
【図５】
2014218777.tif 000007
【図６】
2014218777.tif 000008